(57)【要約】【課題】ＩＥＥＥ１３９４シリアルバスに接続されるセットトップボックス（ＳＴＢ）等のコントローラ機器において、同一の番組タイトルを持つ全ての番組ファイルを削除する際における操作性の向上を図る。【解決手段】ユーザが、任意の番組ファイルの選択と、選択された番組ファイルと同一の番組タイトルを持つ番組ファイルの一括削除の指示を行うと、ＳＴＢが、同一の番組タイトルを持つ番組ファイルが検索されなくなるまで（Ｓ４でＹＥＳ）、全てのＡＶＨＤＤに格納されている番組ファイルの中から同一の番組タイトルを持つ番組ファイルを検索する処理（Ｓ３）と、検索された番組ファイルを格納しているＡＶＨＤＤに対して該当番組ファイルの削除コマンドを送信する処理（Ｓ１）とを繰り返して行う。これにより、従来のＳＴＢと異なり、ユーザが同一の番組タイトルを持つ番組ファイルを全て選択してから削除操作を行う必要がなくなる。【選択図】図５
2006054030.tif 000002
【特許請求の範囲】
【請求項１】
ＩＥＥＥ１３９４用の制御コマンドによってのみ録画や再生を行うことが可能なハードディスクレコーダであるＡＶＨＤＤとＩＥＥＥ１３９４シリアルバスを介して接続され、
前記ＩＥＥＥ１３９４シリアルバスを介して接続されているＡＶＨＤＤの台数は、１又は２以上であり、
前記ＡＶＨＤＤとの間でＩＥＥＥ１３９４用の制御コマンドとその応答信号の送受信、及びストリームデータの送受信を行うためのＩＥＥＥ１３９４インタフェースと、
前記ＩＥＥＥ１３９４シリアルバスを介して接続されている全てのＡＶＨＤＤに格納されている番組ファイルのリストを作成するリスト作成手段と、
前記リスト作成手段により作成されたリストを表示する表示手段と、
前記表示手段に表示されたリスト内の番組ファイルの中から任意の番組ファイルを選択する選択手段と、
装置各部を制御する制御手段とを備えたＩＥＥＥ１３９４シリアルバスに接続されるセットトップボックスにおいて、
前記全てのＡＶＨＤＤに格納されている番組ファイルの中から、前記選択手段を用いてユーザにより選択された番組ファイルと同一の番組タイトルを持つ番組ファイルを検索する検索手段と、
前記選択手段を用いてユーザにより選択された番組ファイルと同一の番組タイトルを持つ番組ファイルの一括削除を指示するための一括削除指示手段とをさらに備え、
前記制御手段は、
前記選択手段を用いてユーザにより任意の番組ファイルが選択された上で、選択された番組ファイルと同一の番組タイトルを持つ番組ファイルの一括削除が、前記一括削除指示手段を用いてユーザにより指示されたときに、
前記選択手段を用いて選択された番組ファイルを格納しているＡＶＨＤＤに対して、前記ＩＥＥＥ１３９４インタフェースにより該当番組ファイルの削除コマンドを送信し、
前記削除コマンドによる該当の番組ファイルの削除処理が完了した後に、削除された番組ファイルと同一の番組タイトルを持つ番組ファイルの検索を前記検索手段により行い、
前記検索手段による検索の結果、同一の番組タイトルを持つ番組ファイルが検索されなくなるまで、前記検索手段による検索処理と、この検索処理により検索された番組ファイルを格納しているＡＶＨＤＤに対する該当番組ファイルの削除コマンドの送信処理を繰り返すことを特徴とするＩＥＥＥ１３９４シリアルバスに接続されるセットトップボックス。
【請求項２】
ＩＥＥＥ１３９４用の制御コマンドの送受信が可能なハードディスクレコーダとＩＥＥＥ１３９４シリアルバスを介して接続され、
前記ハードディスクレコーダとの間でＩＥＥＥ１３９４用の制御コマンドとその応答信号の送受信、及びストリームデータの送受信を行うためのＩＥＥＥ１３９４インタフェースと、
前記ハードディスクレコーダに格納されている番組ファイルのリストを作成するリスト作成手段と、
前記リスト作成手段により作成されたリストを表示する表示手段と、
前記表示手段に表示されたリスト内の番組ファイルの中から任意の番組ファイルを選択する選択手段と、
装置各部を制御する制御手段とを備えたＩＥＥＥ１３９４シリアルバスに接続されるコントローラ機器において、
前記ハードディスクレコーダに格納されている番組ファイルの中から、前記選択手段を用いてユーザにより選択された番組ファイルと同一の番組タイトルを持つ番組ファイルを検索する検索手段と、
前記選択手段を用いてユーザにより選択された番組ファイルと同一の番組タイトルを持つ番組ファイルの一括削除を指示するための一括削除指示手段とをさらに備え、
前記制御手段は、
前記選択手段を用いてユーザにより任意の番組ファイルが選択された上で、選択された番組ファイルと同一の番組タイトルを持つ番組ファイルの一括削除が、前記一括削除指示手段を用いてユーザにより指示されたときに、
前記選択手段を用いて選択された番組ファイルを格納しているハードディスクレコーダに対して、前記ＩＥＥＥ１３９４インタフェースにより該当番組ファイルの削除コマンドを送信し、
前記検索手段による検索の結果、前記選択手段を用いて選択された番組ファイルと同一の番組タイトルを持つ番組ファイルが検索されなくなるまで、前記検索手段による検索処理と、この検索処理により検索された番組ファイルを格納しているハードディスクレコーダに対する該当番組ファイルの削除コマンドの送信処理を繰り返すことを特徴とするＩＥＥＥ１３９４シリアルバスに接続されるコントローラ機器。
【請求項３】
前記ＩＥＥＥ１３９４シリアルバスを介して接続されているハードディスクレコーダの台数は、１又は２以上であることを特徴とする請求項２に記載のＩＥＥＥ１３９４シリアルバスに接続されるコントローラ機器。
【発明の詳細な説明】
【技術分野】
【０００１】
本発明は、ＡＶＨＤＤ等のハードディスクレコーダとＩＥＥＥ１３９４シリアルバスを介して接続可能なセットトップボックス、ディジタルテレビジョン受像機等のコントローラ機器に関する。
【背景技術】
【０００２】
近年、セットトップボックスやディジタルテレビジョン受像機等のコントローラ機器とＩＥＥＥ１３９４シリアルバスケーブルを介して接続されて、ＩＥＥＥ１３９４用の制御コマンドによってのみ録画や再生を行うことが可能なハードディスクレコーダ（いわゆるＡＶＨＤＤ）が増えてきた。この種のハードディスクレコーダで録画した番組ファイルを削除する際には、ユーザは、通常、削除対象となる番組ファイルをコントローラ機器側から１個ずつ選択して削除するか、削除対象となる番組ファイルをコントローラ機器側から１個ずつ選択した上で、選択した番組ファイルを一括削除するという方法を採る。
【０００３】
しかしながら、上記のような削除方法では、番組ファイルを削除するのに要する手間が大きくなり、削除処理に要する時間が長くなる。特に、ハードディスクレコーダに格納されている番組ファイルの中に、連続ドラマの番組ファイル等の同一の番組タイトルを持つ多くの番組ファイルが格納されている場合には、これらの番組ファイルのうちの１つが不要な場合には、他の同一の番組タイトルを持つ番組ファイルも不要である蓋然性が高いにも拘わらず、ユーザは、コントローラ機器側から、同一の番組タイトルを持つ番組ファイルを全て選択して削除する必要があり、番組ファイルの削除を行う際の操作性が悪いという問題があった。この操作性の悪さは、下記のように、ＩＥＥＥ１３９４シリアルバス（以下、バスと略す）を介して接続されているハードディスクレコーダの台数が複数である場合には、大きな問題となる。何故なら、従来のコントローラ機器では、バスを介して接続されているハードディスクレコーダの台数が複数である場合には、ユーザが、同一の番組タイトルを持つ番組ファイルが格納されているハードディスクレコーダを探してから、これらの番組ファイルに対する削除操作を行う必要があるからである。
【０００４】
ところで、一般のハードディスクレコーダにおいて、毎週同時刻に放送されている番組の再生をまとめて指令することができるようにしたものが知られている（例えば、特許文献１参照）。また、ハードディスクレコーダ等の録画再生装置の分野において、ユーザが、ある連続番組の番組ファイルに対する再生の指示を行ったときに、再生の指示が行われた番組ファイルと同じ連続番組の番組ファイルの中に、未再生の番組ファイルが存在すると、その旨をテレビの画面に表示してユーザに知らせるようにしたものが知られている（例えば、特許文献２参照）。さらにまた、この種の装置の分野において、ユーザが、再生を希望する連続番組のシリーズ番号を選択すると、このシリーズ番号に関連付けられた番組ファイルを順次読み出して再生するようにしたものが知られている（例えば、特許文献３参照）。けれども、上記特許文献１乃至３に記載された発明では、上記の問題を解決することはできない。
【特許文献１】特開２０００−２８５６４７号公報
【特許文献２】特開２００３−３１９３０８号公報
【特許文献３】登録実用新案第３０８８３６７号公報
【発明の開示】
【発明が解決しようとする課題】
【０００５】
本発明は、上記の問題を解決するためになされたものであり、同一の番組タイトルを持つ全ての番組ファイルを削除するときに、ユーザが同一の番組タイトルを持つ番組ファイルを全て選択してから削除操作を行う必要をなくして、番組ファイルの削除を行う際の操作性の向上を図ることが可能なＩＥＥＥ１３９４シリアルバスに接続されるセットトップボックス、及びＩＥＥＥ１３９４シリアルバスに接続されるコントローラ機器を提供することを目的とする。
【課題を解決するための手段】
【０００６】
上記目的を達成するために、請求項１の発明は、ＩＥＥＥ１３９４用の制御コマンドによってのみ録画や再生を行うことが可能なハードディスクレコーダであるＡＶＨＤＤとＩＥＥＥ１３９４シリアルバスを介して接続され、ＩＥＥＥ１３９４シリアルバスを介して接続されているＡＶＨＤＤの台数は、１又は２以上であり、ＡＶＨＤＤとの間でＩＥＥＥ１３９４用の制御コマンドとその応答信号の送受信、及びストリームデータの送受信を行うためのＩＥＥＥ１３９４インタフェースと、ＩＥＥＥ１３９４シリアルバスを介して接続されている全てのＡＶＨＤＤに格納されている番組ファイルのリストを作成するリスト作成手段と、リスト作成手段により作成されたリストを表示する表示手段と、表示手段に表示されたリスト内の番組ファイルの中から任意の番組ファイルを選択する選択手段と、装置各部を制御する制御手段とを備えたＩＥＥＥ１３９４シリアルバスに接続されるセットトップボックスにおいて、全てのＡＶＨＤＤに格納されている番組ファイルの中から、選択手段を用いてユーザにより選択された番組ファイルと同一の番組タイトルを持つ番組ファイルを検索する検索手段と、選択手段を用いてユーザにより選択された番組ファイルと同一の番組タイトルを持つ番組ファイルの一括削除を指示するための一括削除指示手段とをさらに備え、制御手段は、選択手段を用いてユーザにより任意の番組ファイルが選択された上で、選択された番組ファイルと同一の番組タイトルを持つ番組ファイルの一括削除が、一括削除指示手段を用いてユーザにより指示されたときに、選択手段を用いて選択された番組ファイルを格納しているＡＶＨＤＤに対して、ＩＥＥＥ１３９４インタフェースにより該当番組ファイルの削除コマンドを送信し、削除コマンドによる該当の番組ファイルの削除処理が完了した後に、削除された番組ファイルと同一の番組タイトルを持つ番組ファイルの検索を検索手段により行い、検索手段による検索の結果、同一の番組タイトルを持つ番組ファイルが検索されなくなるまで、検索手段による検索処理と、この検索処理により検索された番組ファイルを格納しているＡＶＨＤＤに対する該当番組ファイルの削除コマンドの送信処理を繰り返すものである。
【０００７】
請求項２の発明は、ＩＥＥＥ１３９４用の制御コマンドの送受信が可能なハードディスクレコーダとＩＥＥＥ１３９４シリアルバスを介して接続され、ハードディスクレコーダとの間でＩＥＥＥ１３９４用の制御コマンドとその応答信号の送受信、及びストリームデータの送受信を行うためのＩＥＥＥ１３９４インタフェースと、ハードディスクレコーダに格納されている番組ファイルのリストを作成するリスト作成手段と、リスト作成手段により作成されたリストを表示する表示手段と、表示手段に表示されたリスト内の番組ファイルの中から任意の番組ファイルを選択する選択手段と、装置各部を制御する制御手段とを備えたＩＥＥＥ１３９４シリアルバスに接続されるコントローラ機器において、ハードディスクレコーダに格納されている番組ファイルの中から、選択手段を用いてユーザにより選択された番組ファイルと同一の番組タイトルを持つ番組ファイルを検索する検索手段と、選択手段を用いてユーザにより選択された番組ファイルと同一の番組タイトルを持つ番組ファイルの一括削除を指示するための一括削除指示手段とをさらに備え、制御手段は、選択手段を用いてユーザにより任意の番組ファイルが選択された上で、選択された番組ファイルと同一の番組タイトルを持つ番組ファイルの一括削除が、一括削除指示手段を用いてユーザにより指示されたときに、選択手段を用いて選択された番組ファイルを格納しているハードディスクレコーダに対して、ＩＥＥＥ１３９４インタフェースにより該当番組ファイルの削除コマンドを送信し、検索手段による検索の結果、選択手段を用いて選択された番組ファイルと同一の番組タイトルを持つ番組ファイルが検索されなくなるまで、検索手段による検索処理と、この検索処理により検索された番組ファイルを格納しているハードディスクレコーダに対する該当番組ファイルの削除コマンドの送信処理を繰り返すものである。
【０００８】
請求項３の発明は、請求項２に記載のＩＥＥＥ１３９４シリアルバスに接続されるコントローラ機器において、ＩＥＥＥ１３９４シリアルバスを介して接続されているハードディスクレコーダの台数が、１又は２以上のものである。
【発明の効果】
【０００９】
請求項１の発明によれば、ユーザが、任意の番組ファイルの選択と、選択された番組ファイルと同一の番組タイトルを持つ番組ファイルの一括削除の指示を行うと、同一の番組タイトルを持つ番組ファイルが検索されなくなるまで、全てのＡＶＨＤＤに格納されている番組ファイルの中から同一の番組タイトルを持つ番組ファイルを検索する処理と、検索された番組ファイルを格納しているＡＶＨＤＤに対して該当番組ファイルの削除コマンドを送信する処理が繰り返して行われる。これにより、従来のセットトップボックスと異なり、同一の番組タイトルを持つ全ての番組ファイルを削除するときに、ユーザが同一の番組タイトルを持つ番組ファイルを全て選択してから削除操作を行う必要がなくなるので、番組ファイルの削除を行う際の操作性の向上を図ることができる。特に、ＩＥＥＥ１３９４シリアルバスを介して接続されているＡＶＨＤＤの台数が複数である場合には、従来のセットトップボックスでは、ユーザが、同一の番組タイトルを持つ番組ファイルが格納されているＡＶＨＤＤを探してから、これらの番組ファイルに対する削除操作を行う必要があったが、請求項１の発明に係るセットトップボックスによれば、ユーザが、表示手段に表示された全てのＡＶＨＤＤに格納されている番組ファイルのリストを参照して、このリスト内の番組ファイルの中から任意の番組ファイルを選択するだけで、選択された番組ファイルと同一の番組タイトルを持つ番組ファイルが全て自動的に削除されるので、操作性の向上に寄与する効果が大きくなる。
【００１０】
請求項２の発明によれば、ユーザが、任意の番組ファイルの選択と、選択された番組ファイルと同一の番組タイトルを持つ番組ファイルの一括削除の指示を行うと、同一の番組タイトルを持つ番組ファイルが検索されなくなるまで、全てのハードディスクレコーダに格納されている番組ファイルの中から同一の番組タイトルを持つ番組ファイルを検索する処理と、検索された番組ファイルを格納しているハードディスクレコーダに対して該当番組ファイルの削除コマンドを送信する処理が繰り返して行われる。これにより、上記請求項１の発明と同様な効果を得ることができる。
【００１１】
請求項３の発明によれば、ＩＥＥＥ１３９４シリアルバスを介して１又は２以上のハードディスクレコーダと接続されるコントローラ機器において、上記に記載の効果を的確に得ることができる。
【発明を実施するための最良の形態】
【００１２】
本発明を実施するための最良の形態について図面を参照して説明する。本発明は、ＩＥＥＥ１３９４シリアルバスを介してハードディスクレコーダに接続されるコントローラ機器に関するものである。以下の実施形態では、本発明をセットトップボックスに適用した場合の例について説明する。なお、以下に記載した実施形態は、本発明を網羅するものではなく、本発明は、下記の形態だけに限定されない。
【００１３】
図１は、本実施形態によるセットトップボックスと、このセットトップボックスに接続された２つのＡＶＨＤＤの外観を示す。セットトップボックス（以下、ＳＴＢという）１は、受信した放送信号の中からユーザにより選択されたチャンネルの放送信号を出力するものである。ＡＶＨＤＤ２ａ，２ｂは、ＩＥＥＥ１３９４用の制御コマンドによってのみ録画や再生を行うことが可能なタイプのハードディスクレコーダである。図に示されるように、ＳＴＢ１の前面側には、ＡＶＨＤＤ２ａ，２ｂに格納された番組ファイルのリストや、各種のメニュー等の表示を行うための表示部１０（表示手段）が設けられている。また、ＳＴＢ１とＡＶＨＤＤ２ａとの間、及びＡＶＨＤＤ２ａとＡＶＨＤＤ２ｂとの間は、ＩＥＥＥ１３９４シリアルバスケーブル３により接続されている。すなわち、ＳＴＢ１とＡＶＨＤＤ２ａ，２ｂとは、デイジーチェーン方式で接続されている。本実施形態では、ＡＶＨＤＤ２ａ，２ｂは、ＳＴＢ１から送信されたＩＥＥＥ１３９４用の制御コマンドによってのみ録画、再生、削除等の処理を行うことができる。
【００１４】
次に、図２を参照して、上記のＳＴＢ１とＡＶＨＤＤ２ａ，２ｂの電気的ブロック構成について説明する。図中のＡＶＨＤＤ２は、ＡＶＨＤＤ２ａ，２ｂの総称である。ＳＴＢ１は、装置全体の制御を行うマイクロプロセッサ７（請求項における制御手段、リスト作成手段、検索手段）を備えている。このマイクロプロセッサ７には、上記の表示部１０に加えて、チューナ５、復調部６、ＩＥＥＥ１３９４インタフェース８（以下、インタフェースと略す）、赤外線信号受信部９、ＲＡＭ１１及びＲＯＭ１２が接続されている。
【００１５】
上記のチューナ５は、アンテナ４で受信した放送信号の中からユーザにより選択されたチャンネルの放送信号を抽出する。復調部６は、チューナ５で抽出された放送信号に対して放送方式に応じた復調を行う。インタフェース８は、ＩＥＥＥ１３９４シリアルバス４０（以下、バスと略す）上の他の装置との間でデータを送受信するためのインタフェース用の回路であり、ＡＶＨＤＤ２との間でバス４０を介してデータを送受信する。赤外線信号受信部９は、リモコン２０から送信された赤外線信号形式の指示信号を受信して、その指示信号を通常のデジタル信号に変換してマイクロプロセッサ７に送る。ＲＡＭ１１は、後述する番組ファイルのリスト等のデータを一時的に格納する。ＲＯＭ１２は、各種のメニューや制御用のプログラムを格納する。
【００１６】
リモコン２０（選択手段、一括削除指示手段）は、各種のキーからなるキー部２４と赤外線信号発信部２１とを有している。キー部２４には、電源キー２３、数字入力用のキー２５、カーソルキー２６、確定キー２７に加えて、各種メニューを表示するためのメニューキー２２が配設されている。リモコン２０内の各キーは、表示部１０に表示されたリスト内の番組ファイルの中から任意の番組ファイルを選択する操作や、選択された番組ファイルと同一の番組タイトルを持つ番組ファイルの一括削除を指示する操作等に用いられる。
【００１７】
また、上記のＡＶＨＤＤ２は、装置全体の制御を行うマイクロプロセッサ３１と、このマイクロプロセッサ３１の制御用のプログラムを格納するＲＯＭ３０と、バス４０を介してＳＴＢ１等から制御コマンドやストリームデータ等のデータを受信するためのＩＥＥＥ１３９４インタフェース３３（以下、インタフェースと略す）とを有している。また、ＡＶＨＤＤ２は、記録媒体である複数枚のハードディスク３５と、これらのハードディスク３５に対してデータの記録・読取を行う複数の磁気ヘッド３６と、磁気ヘッド３６を駆動するヘッド駆動部３４と、記録するデータ又は読み出したデータを一時的に保存するバッファメモリ３２とを備えている。
【００１８】
次に、図３（ａ）（ｂ）及び図４を参照して、同一の番組タイトルを持つ全ての番組ファイルを削除する際の操作（以下、同一タイトル削除操作という）について説明する。この同一タイトル削除操作は、表示部１０に表示されたリスト内の番組ファイルの中から任意の番組ファイルを選択する操作と、選択された番組ファイルと同一の番組タイトルを持つ番組ファイルの一括削除を指示する操作とから構成される。ユーザが、リモコン２０を用いて、図１に示されるＡＶＨＤＤ２ａ及びＡＶＨＤＤ２ｂに格納されている番組ファイルのリストを表示するように指示すると、ＳＴＢ１側のマイクロプロセッサ７は、バス４０を介してＡＶＨＤＤ２ａ，２ｂに格納されている番組ファイル４２の録画日、録画開始時刻、番組タイトル等のデータを受信し、これらのデータに基いて、図３（ａ）に示される番組ファイルリスト４１を作成し、この番組ファイルリスト４１を表示部１０に表示する。そして、ユーザが、リモコン２０を用いて、番組ファイルリスト４１内の番組ファイル４２の中から任意の番組ファイル４２を選択すると、マイクロプロセッサ７は、図４に示される番組ファイル操作選択サブメニュー４３を表示して、ユーザに対して、選択された番組ファイル４２についての操作を選択するように促す。次に、ユーザが、リモコン２０のカーソルキー２６と確定キー２７とを用いて、番組ファイル操作選択サブメニュー４３内の同一タイトル削除ボタン４７を選択すると、マイクロプロセッサ７は、後述する同一タイトル削除処理を実行して、番組ファイルリスト４１内の番組ファイル４２の中から、上記の選択処理で選択された番組ファイル４２と同一の番組タイトルを持つ番組ファイル４２を全て削除する。例えば、図３（ａ）に示される番組ファイルリスト４１において、番組Ａの番組ファイル４２が選択されて、番組Ａについての同一タイトル削除処理が実行された場合には、図３（ｂ）に示されるように、同一タイトル削除処理の実行後における番組ファイルリスト４１からは、番組タイトルが「番組Ａ」である番組ファイル４２が全て削除される。
【００１９】
次に、図５のフローチャートを参照して、上記の同一タイトル削除処理について説明する。ユーザが、リモコン２０を用いて、上記の同一タイトル削除操作を行うと、ＳＴＢ１側のマイクロプロセッサ７は、上記の番組ファイルリスト４１内の番組ファイル４２の中から選択された番組ファイル４２を格納しているＡＶＨＤＤ２ａ，２ｂに対して、インタフェース８により該当番組ファイル４２の削除コマンドを送信する（Ｓ１）。そして、この削除コマンドに対するＡＶＨＤＤ２ａ，２ｂからのレスポンスを待ち受けて、削除完了のレスポンスを受信すると（Ｓ２でＹＥＳ）、全てのＡＶＨＤＤ２ａ，２ｂに格納されている番組ファイル４２の中から、削除された番組ファイル４２と同一の番組タイトルを持つ番組ファイル４２を検索する（Ｓ３）。この結果、同一の番組タイトルを持つ番組ファイルが検索されたときには（Ｓ４でＹＥＳ）、マイクロプロセッサ７は、上記Ｓ１乃至Ｓ３の処理を繰り返して、検索された番組ファイル４２を格納しているＡＶＨＤＤ２ａ，２ｂに対して該当番組ファイル４２の削除コマンドを送信する。そして、上記Ｓ３に示される検索処理において同一の番組タイトルを持つ番組ファイルが検索されなくなるまで、すなわち、全てのＡＶＨＤＤ２ａ，２ｂに格納されている番組ファイル４２の中に、上記の番組ファイルリスト４１内の番組ファイル４２の中から選択された番組ファイル４２と同一の番組タイトルを持つ番組ファイル４２が全てなくなるまで、上記Ｓ１乃至Ｓ３の処理を繰り返す。
【００２０】
上記のように、本実施形態のＳＴＢ１によれば、ユーザが、任意の番組ファイル４２の選択と、選択された番組ファイル４２と同一の番組タイトルを持つ番組ファイル４２の一括削除の指示を行うと、同一の番組タイトルを持つ番組ファイル４２が検索されなくなるまで、全てのＡＶＨＤＤ２ａ，２ｂに格納されている番組ファイル４２の中から同一の番組タイトルを持つ番組ファイル４２を検索する処理と、検索された番組ファイル４２を格納しているＡＶＨＤＤ２ａ，２ｂに対して該当番組ファイル４２の削除コマンドを送信する処理とが繰り返して行われる。これにより、従来のＳＴＢと異なり、同一の番組タイトルを持つ全ての番組ファイル４２を削除するときに、ユーザが同一の番組タイトルを持つ番組ファイル４２を全て選択してから削除操作を行う必要がなくなるので、番組ファイル４２の削除を行う際の操作性の向上を図ることができる。特に、本実施形態のように、ＩＥＥＥ１３９４シリアルバス４０を介して接続されているＡＶＨＤＤ２の台数が複数である場合には、従来のＳＴＢでは、ユーザが、同一の番組タイトルを持つ番組ファイルが格納されているＡＶＨＤＤを探してから、これらの番組ファイルに対する削除操作を行う必要があったが、本実施形態によるＳＴＢ１によれば、ユーザが、表示部１０に表示された、全てのＡＶＨＤＤ２ａ，２ｂに格納されている番組ファイル４２のリスト４１を参照して、このリスト４１内の番組ファイル４２の中から任意の番組ファイル４２を選択するだけで、選択された番組ファイル４２と同一の番組タイトルを持つ番組ファイル４２が全て自動的に削除されるので、操作性の向上に寄与する効果が大きくなる。
【００２１】
なお、本発明は、上記実施形態に限られるものではなく、様々な変形が可能である。例えば、上記の実施形態では、本発明をＳＴＢ１に適用した場合の例を示したが、本発明の適用対象はこれに限られず、ディジタルテレビジョン受像機等の他のコントローラ機器であってもよい。また、上記の実施形態では、ＩＥＥＥ１３９４シリアルバス４０を介してＳＴＢ１と接続されるハードディスクレコーダがＡＶＨＤＤである場合の例を示したが、ＳＴＢと接続されるハードディスクレコーダの種類は、これに限られず、一般のハードディスクレコーダであってもよい。さらにまた、上記の実施形態では、ＩＥＥＥ１３９４シリアルバス４０を介してＳＴＢ１と接続されるＡＶＨＤＤの数は２つであったが、ＳＴＢと接続されるＡＶＨＤＤの台数は、これに限られず、１つであってもよいし、３つ以上であってもよい。
【図面の簡単な説明】
【００２２】
【図１】本発明の一実施形態によるセットトップボックスとＡＶＨＤＤの外観を示す斜視図。
【図２】上記セットトップボックスとＡＶＨＤＤの電気的ブロック構成図。
【図３】（ａ）（ｂ）は、それぞれ同一タイトル削除処理の実行の前後における番組ファイルリストを示す図。
【図４】上記番組ファイルリスト中の選択された番組ファイルについての操作の指示用のメニューを示す図。
【図５】上記セットトップボックスにおける同一タイトル削除処理を示すフローチャート。
【符号の説明】
【００２３】
１    ＳＴＢ（セットトップボックス、コントローラ機器）
２    ＡＶＨＤＤ（ハードディスクレコーダ）
７    マイクロプロセッサ（制御手段、リスト作成手段、検索手段）
８    インタフェース（ＩＥＥＥ１３９４インタフェース）
１０  表示部（表示手段）
２０  リモコン（選択手段、一括削除指示手段）
２ａ  ＡＶＨＤＤ（ハードディスクレコーダ）
２ｂ  ＡＶＨＤＤ（ハードディスクレコーダ）
４０  バス（ＩＥＥＥ１３９４シリアルバス）
【図１】
2006054030.tif 000003
【図２】
2006054030.tif 000004
【図３】
2006054030.tif 000005
【図４】
2006054030.tif 000006
【図５】
2006054030.tif 000007